(57)【要約】【課題】一斉指令系システムと移動系無線通信システムを連携させ、一斉指令系システムの一斉指令台から一斉受令装置に一斉指令を発令すると共に、移動系無線通信システムの各移動局へ一斉指令を同時に発令する技術を提供する。【解決手段】無線通信システム１００において、一斉指令系システム統制局１０１の一斉指令制御装置２０３は、一斉指令系システム受令局１０３及び２６０Ｍ移動系システム１０２に接続された一斉指令制御装置２０４から接続完了を示す情報を受信すると、全ての指令対象局の接続が完了したと判断し、接続完了を示す情報を一斉指令台２０１に送信する。【選択図】  図２
2019176223.tif 000002
【特許請求の範囲】
【請求項１】
一斉指令を送信する統制局と前記一斉指令を受信する受令局とを有す第１の通信システムと、前記第１の通信システムと異なる制御電文で一斉指令を行う第２の通信システムと、を備える無線通信システムであって、
前記統制局は、
一斉指令を発令する一斉指令台と、
前記第２の通信システムと接続され、前記第２の通信システムへ前記一斉指令を一斉指令制御装置連携部と、
前記一斉指令台から発令された前記一斉指令を、前記受令局及び、前記一斉指令制御装置連携部へ配信する一斉指令制御装置と、
を備え、
前記一斉指令制御装置は、
前記一斉指令を受信すると、前記受令局及び前記一斉指令制御装置連携部へ接続確認を送信し、
前記受令局及び前記一斉指令制御装置連携部から接続完了を示す情報を受信すると、全ての指令対象局の接続が完了したと判断し、接続完了を示す情報を前記一斉指令台に送信する
ことを特徴とする無線通信システム。
【請求項２】
前記一斉指令制御装置は、前記一斉指令の伝送データを、前記受令局及び前記一斉指令制御装置連携部へ送信後、前記受令局及び前記一斉指令制御装置連携部から受信完了を示す情報を受信すると、全ての指令対象局への受令が完了したと判断し、受令完了を示す情報を前記一斉指令台へ送信する
ことを特徴とする請求項１に記載の無線通信システム。
【発明の詳細な説明】
【技術分野】
【０００１】
本発明は、無線通信システムに係り、例えば、防災システムにおける一斉指令系システムとデジタル移動通信システムとを連携する機能を備えた無線通信システムに関する。
【背景技術】
【０００２】
自治体を基本単位として、自治体の運用サービスエリア内に、災害情報等の一斉指令を放送する同報系無線通信システムと、無線機間の通話を可能とする移動系無線通信システムとがあり、これらを連携する技術が提案されている（例えば特許文献１参照）。
【０００３】
図１に、そのような無線通信システムの基本的な構成例を示す。図示の無線通信システムにおいて、一斉指令系システム統制局１０１（一斉指令台（正）又は（副））は、一斉指令（音声又はＦＡＸ）を２６０ＭＨｚ帯デジタル移動通信システム（以下、「２６０Ｍ移動系システム」という）１０２の設備に発令し、発令に対する応答、受令状況を一斉指令台（正）又は（副）が収集する。
【先行技術文献】
【特許文献】
【０００４】
【特許文献１】特開２０１１−２４２５９１号公報
【発明の開示】
【発明が解決しようとする課題】
【０００５】
一般に、一斉指令台と２６０Ｍ移動系システムのような移動系無線通信システムの制御電文はそれぞれ独自方式が採用されている。したがって、区役所等に設置される一斉受令装置に一斉指令を発令する事が出来ないという課題があり、対策の技術が求められていた。
【０００６】
本発明は、このような状況に鑑みなされたもので、上記課題を解決することを目的とする。
【課題を解決するための手段】
【０００７】
本発明は、一斉指令を送信する統制局と前記一斉指令を受信する受令局とを有す第１の通信システムと、前記第１の通信システムと異なる制御電文で一斉指令を行う第２の通信システムと、を備える無線通信システムであって、前記統制局は、一斉指令を発令する一斉指令台と、前記第１の通信システムと前記第２の通信システムとの連携を行う一斉指令制御装置連携部と、前記一斉指令台から発令された前記一斉指令を、前記受令局及び、前記一斉指令制御装置連携部へ配信する一斉指令制御装置と、を備え、前記一斉指令制御装置は、前記一斉指令を受信すると、前記受令局及び前記一斉指令制御装置連携部へ接続確認を送信し、前記受令局及び前記一斉指令制御装置連携部から接続完了を示す情報を受信すると、全ての指令対象局の接続が完了したと判断し、接続完了を示す情報を前記一斉指令台に送信する。
また、前記一斉指令台は、前記一斉指令の伝送データを、前記受令局及び前記一斉指令制御装置連携部へ送信後、前記受令局及び前記一斉指令制御装置連携部から受信完了を示す情報を受信すると、全ての指令対象局への受令が完了したと判断し、受令完了を示す情報を前記一斉指令台へ送信する
【発明の効果】
【０００８】
本発明よれば、一斉指令系システムと移動系無線通信システムを連携させ、一斉指令系システムの一斉指令台から一斉受令装置に一斉指令を発令すると共に、移動系無線通信システムの各移動局へ一斉指令を同時に発令する技術を実現できる。
【図面の簡単な説明】
【０００９】
【図１】背景技術に係る、無線通信システムの構成を示す図である。
【図２】実施形態に係る、無線通信システムの構成を示す図である。
【図３】実施形態に係る、一斉指令（ＦＡＸ）シーケンス（２６０移動系システム連携）を示すフローチャートである。
【図４】実施形態に係る、一斉指令（ＦＡＸ）シーケンス（２６０移動系システム連携）を示すフローチャートである。
【図５】実施形態に係る、一斉指令（ＦＡＸ）シーケンス（２６０移動系システム連携）を示すフローチャートである。
【図６】実施形態に係る、一斉指令（ＦＡＸ）シーケンス（２６０移動系システム連携）を示すフローチャートである。
【図７】実施形態に係る、一斉指令（音声）シーケンス（庁内放送設備システム連携）を示すフローチャートである。
【図８】実施形態に係る、一斉指令（音声）シーケンス（庁内放送設備システム連携）を示すフローチャートである。
【図９】実施形態に係る、一斉指令（音声）シーケンス（庁内放送設備システム連携）を示すフローチャートである。
【発明を実施するための形態】
【００１０】
以下、本発明の実施形態について図面を参照して詳細に説明する。
図２は、本実施形態に係る無線通信システム１００の概略構成を示すブロック図である。この無線通信システム１００は、例えば、都道府県/市町村の機関に設備されるシステムであり、一斉指令系システム１０５（一斉指令系システム統制局１０１、一斉指令系システム受令局１０３）と、２６０Ｍ移動系システム１０２と、庁内放送設備システム１０４とから構成される。
【００１１】
本実施形態では、異なる２つのシステム（２６０ＭＨｚ移動系システム１０２、一斉指令系システム１０５）に対する一斉指令を１つの指令台で実現する。このため、一斉指令制御装置（２６０Ｍ／音声変換）２０４を含めた一斉指令の処理をシステム化する。以下、具体的に説明する。
【００１２】
一斉指令系システム統制局１０１は、一斉指令を発令する一斉指令台（正）２０１と、一斉指令台（副）２０２と、一斉指令制御装置２０３と、一斉指令制御装置（２６０Ｍ／音声変換）２０４とを備える。一斉指令制御装置２０３は、一斉指令台（正）２０１や一斉指令台（副）２０２から発令された指令を、一斉指令系システム受令局１０３や一斉指令制御装置（２６０Ｍ／音声変換）２０４へ配信する。一斉指令制御装置（２６０Ｍ／音声変換）２０４は、一斉指令システム（一斉指令系システム統制局１０１及び一斉指令系システム受令局１０３）と２６０Ｍ移動系システム１０２の連携を行う。例えば、一斉指令制御装置（２６０Ｍ／音声変換）２０４は、一斉指令制御装置２０３から、一斉指令が通知されると、２６０Ｍ移動系システム１０２へ、一斉指令の開始・受令確認を通知したり、一斉指令の伝送データ（ＦＡＸデータや音声データ）を配信したりする。また、一斉指令制御装置（２６０Ｍ／音声変換）２０４は、２６０Ｍ移動系システム１０２から、通知や伝送データの配信に対する応答を受信すると、一斉指令制御装置２０３へ、その応答結果を送信する。
【００１３】
一斉指令系システム受令局１０３は、一斉受令装置２１０を有し、防災ＦＡＸ２２１と報知器２２３が接続されている。一斉受令装置２１０は区役所、支所、消防局等に配置されるため、複数局から構成される。防災ＦＡＸ２２１は、一斉指令台（正）２０１や一斉指令台（副）２０２が発信したＦＡＸデータを受信し出力する。
【００１４】
２６０Ｍ移動系システム１０２は、統制局制御装置２０５と、基地局２０６と、移動局２０７と、統制台２０８と、運用管理装置２０９と、を備える。
【００１５】
統制局制御装置２０５は、回線制御を行う。統制台２０８は、通信統制を行う。運用管理装置２０９は、２６０Ｍ移動系システム１０２の管理、監視を行う。基地局２０６は、移動局２０７間同士が無線通信を行う場合に無線中継を行う。移動局２０７には、防災ＦＡＸ２２１が接続されている。防災ＦＡＸ２２１は、一斉指令台（正）２０１や一斉指令台（副）２０２が発信したＦＡＸデータを受信し出力する。
【００１６】
庁内放送設備システム１０４は、音声分配変換装置２１１と、庁内放送設備２１２とを備える。音声分配変換装置２１１は、一斉指令系システム統制局１０１から発令された指令を元に庁内放送装置２１２を起動する。庁内放送設備２１２は、庁内放送を行う。
【００１７】
図３〜６は、一斉指令（ＦＡＸ）シーケンス（２６０移動系システム連携）を示すフローチャートであり、ここでは便宜的に４つの図に分割して示している。
【００１８】
一斉指令台（正）２０１は、一斉指令制御装置２０３へ「回線接続起動（ＦＡＸ一斉）」を送信する（ステップ３０１）。一斉指令制御装置２０３は、一斉指令台（正）２０１及び一斉指令台（副）２０２に「一斉指令ステータス（回線起動中）」を送信する（ステップ３０２、３０３）。これにより一斉指令台（正）２０１は「回線接続起動（ＦＡＸ一斉）」の要求が受け付けられたと判断する。また、一斉指令台（副）２０２は、一斉指令台（正）２０１が一斉指令を発令したことを認識する。一斉指令制御装置２０３は、一斉受令装置２１０及び一斉指令制御装置（２６０Ｍ／音声変換）２０４へ、「回線接続起動（ＦＡＸ一斉）」を送信する（ステップ３０４、３０５）。
【００１９】
一斉指令台（正）２０１は、「回線接続起動（ＦＡＸ一斉）」の要求が受け付けられたと判断した後、ＦＡＸデータを圧縮し、一斉指令制御装置２０３へそのＦＡＸデータを含む「伝送ファイル送信」を一斉指令の伝送データとして送信する（ステップ３０６）。
【００２０】
一斉指令制御装置２０３は、ＦＡＸデータを正常に受信した場合は応答として「伝送ファイル受信」を一斉指令台（正）２０１へ送信する（ステップ３０７）。同様に、一斉指令制御装置２０３は、一斉指令制御装置（２６０Ｍ／音声変換）２０４へＦＡＸデータ（すなわち「伝送ファイル送信」）を送信する（ステップ３０８）。一斉指令制御装置（２６０Ｍ／音声変換）２０４は、受信したＦＡＸデータを解凍し、「伝送ファイル受信」を一斉指令制御装置２０３に送信する（ステップ３０９）。
【００２１】
一斉受令装置２１０は、回線接続起動（ＦＡＸ一斉）を受信すると（上述のステップ３０６）、報知器２２３に起動表示、起動音を鳴動させ、「一斉指令応答（接続確認）」を一斉指令制御装置２０３へ送信する（ステップ３１０）。
【００２２】
一斉指令制御装置２０３は、「一斉指令応答（接続確認）」を、一斉指令台（正）２０１と一斉指令台（副）２０２に送信する（ステップ３１１、３１２）。
【００２３】
一斉指令制御装置（２６０Ｍ／音声変換）２０４は、一斉指令制御装置２０３からの「回線接続起動（ＦＡＸ一斉）」及びＦＡＸデータの受信を確認すると（上述のステップ３０５、３０８）、統制局制御装置２０５へ「一斉開始通知（ＦＡＸ一斉）」を送信する（ステップ３１３）。統制局制御装置２０５は、基地局２０６を介して移動局２０７の呼接続（「グループ呼設定（ＦＡＸ一斉）」）を行う（ステップ３１４、３１５）。統制局制御装置２０５は、「一斉開始通知（ＦＡＸ一斉）」を受信後に、一斉指令制御装置（２６０Ｍ／音声変換）２０４へ「一斉開始応答（ＦＡＸ一斉）」を応答し（ステップ３１８）、また、呼接続完了後に（すなわち「呼設定受付」取得後に）（ステップ３１６、３１７）、「呼接続通知（ＦＡＸ一斉）」を一斉指令制御装置（２６０Ｍ／音声変換）２０４に送信する。（ステップ３１９）。
【００２４】
一斉指令制御装置（２６０Ｍ／音声変換）２０４は、「一斉開始応答（ＦＡＸ一斉）」を受信すると、一斉指令制御装置２０３へ「一斉指令ステータス（回線起動中）」を送信する（ステップ３２０）。また、「呼接続通知（ＦＡＸ一斉）」を受信すると、２６０Ｍ移動系システム１０２の接続完了と認識し、接続完了を示す情報を設定した「一斉指令ステータス（回線起動中）」を送信する（ステップ３２１）。
【００２５】
一斉受令装置２１０は各拠点に複数局配置されているため、上述のステップ３０４、３１０〜３１２は複数回行われている。一斉指令制御装置２０３は、全ての一斉受令装置２１０から「一斉指令応答（接続確認）」の受信及び、２６０Ｍ移動系システム１０２から接続完了を示す情報を設定した「一斉指令ステータス（回線起動中）」を受信すると、全ての指令対象局の接続が完了したと判断し、接続完了を示す情報を設定した「一斉指令ステータス（回線起動中）」を一斉指令台（正）２０１と一斉指令台（副）２０２に送信する（ステップ３２２、３２３）。
【００２６】
一斉指令台（正）２０１は、接続完了を確認すると、一斉指令制御装置２０３へ「指令中信号（ＦＡＸ一斉）」を送信する（ステップ３２４）。一斉指令制御装置２０３は、一斉指令台（正）２０１と一斉指令台（副）２０２に「一斉指令ステータス（一斉指令中）」を送信する（ステップ３２５、３２６）。また、一斉指令制御装置２０３は、一斉受令装置２１０および一斉指令制御装置（２６０Ｍ／音声変換）２０４へ「指令中信号（ＦＡＸ一斉）」を送信する（ステップ３２７、３２８）。
【００２７】
一斉受令装置２１０は、「一斉指令応答（接続確認）」を一斉指令制御装置２０３へ送信し（ステップ３２９）、一斉指令制御装置２０３は「一斉指令応答（接続確認）」の受信を確認するとＦＡＸデータを一斉受令装置２１０に転送する（ステップ３３０）。
【００２８】
一斉受令装置２１０は、ＦＡＸデータを正常に受信すると、「一斉指令応答（受信確認）」を一斉指令制御装置２０３へ送信する（ステップ３３１）。一斉指令制御装置２０３は、「一斉指令応答（受信確認）」を一斉指令台（正）２０１と一斉指令台（副）２０２に送信する（ステップ３３２、３３３）。
【００２９】
一斉指令制御装置（２６０Ｍ／音声変換）２０４は、上述のステップ３２８後、一斉指令制御装置２０３へ「一斉指令ステータス（一斉指令中）」を送信し（ステップ３３４）、統制局制御装置２０５へＦＡＸ転送を行う（ステップ３３５）。統制局制御装置２０５は、基地局２０６を介して移動局２０７にＦＡＸ転送を行うとともに（ステップ３３６）、ＦＡＸ転送の開始を一斉指令制御装置（２６０Ｍ／音声変換）２０４に通知し（ステップ３３７）、一斉指令制御装置（２６０Ｍ／音声変換）２０４からのＦＡＸ通報開始応答を受ける（ステップ３３８）。統制局制御装置２０５は、ＦＡＸ転送が終了すると、その旨を一斉指令制御装置（２６０Ｍ／音声変換）２０４に通知し（ステップ３３９）、その応答を受ける（ステップ３４０）。
【００３０】
一斉指令制御装置（２６０Ｍ／音声変換）２０４は、２６０Ｍ移動系システム１０２のＦＡＸ受信完了と認識し、受信完了を示す情報を設定した「一斉指令ステータス（一斉指令中）」を一斉指令制御装置２０３に送信する（ステップ３４１）。
【００３１】
一斉指令制御装置２０３は、全ての一斉受令装置２１０から「一斉指令応答（受信確認）」の受信及び、２６０Ｍ移動系システム１０２から受信完了を示す情報を設定した「一斉指令ステータス（一斉指令中）」を受信すると、全ての指令対象局へのＦＡＸ送信が完了したと判断し、受信完了を示す情報を設定した「一斉指令ステータス（一斉指令中）」を一斉指令台（正）２０１と一斉指令台（副）２０２に送信する（ステップ３４２、３４３）。
【００３２】
一斉指令台（正）２０１は、受信完了を確認すると、一斉指令制御装置２０３へ「受令確認信号（ＦＡＸ一斉）」を送信する（ステップ３４４）。一斉指令制御装置２０３は、一斉指令台（正）２０１と一斉指令台（副）２０２に「一斉指令ステータス（受令確認中）」を送信する（ステップ３４５、３４６）。また、一斉指令制御装置２０３は、一斉受令装置２１０および一斉指令制御装置（２６０Ｍ／音声変換）２０４へ、「受令確認信号（ＦＡＸ一斉）を送信する（ステップ３４７、３４８）。
【００３３】
一斉受令装置２１０は、報知器２２３へ起動表示の終了及び、起動音停止を行い、「一斉指令応答（受令確認）」を一斉指令制御装置２０３へ送信する（ステップ３４９）。つづいて、一斉指令制御装置２０３は、「一斉指令応答（受令確認）」を一斉指令台（正）２０１と一斉指令台（副）２０２に送信する（ステップ３５０、３５１）。
【００３４】
また、一斉指令制御装置（２６０Ｍ／音声変換）２０４は、一斉指令制御装置２０３へ「一斉指令ステータス（受令確認中）」を送信し（ステップ３５２）、統制局制御装置２０５へ「受確指示通知（ＦＡＸ一斉）」を送信する（ステップ３５３）。統制局制御装置２０５は、基地局２０６を介して「受確指示通知（ＦＡＸ一斉）」を移動局２０７に転送する（ステップ３５４、３５５）。
【００３５】
２６０Ｍ移動系システム１０２の統制局制御装置２０５は、各移動局２０７から「受確指示応答」を取得し（ステップ３５６、３５７）、一斉指令制御装置（２６０Ｍ／音声変換）２０４へ「受確指示応答（ＦＡＸ一斉）」を送信する（ステップ３５８）。また、統制局制御装置２０５は、各移動局２０７から受令状態を設定した「局状態通知」を取得し（ステップ３５９、３６０）、一斉指令制御装置（２６０Ｍ／音声変換）２０４へ「局状態通知（一斉）」を送信する（ステップ３６１）。
【００３６】
一斉指令制御装置（２６０Ｍ／音声変換）２０４は、「一斉指令応答（受令確認）」を一斉指令制御装置２０３に送信する（ステップ３６２）。つづいて、一斉指令制御装置２０３は、「一斉指令応答（受令確認）」一斉指令台（正）２０１と一斉指令台（副）２０２に送信する（ステップ３６３、３６４）。
【００３７】
２６０Ｍ移動系システム１０２からの「局状態通知」は指令対象の移動局２０７毎に通知されるので、移動局２０７毎にステップ３５９〜３６４が繰り返される。一斉指令制御装置２０３は全ての一斉受令装置２１０、移動局２０７からの「一斉指令応答（受令確認）」を受信すると、受令完了を示す情報を設定した「一斉指令ステータス（受令確認中）」を一斉指令台（正）２０１と一斉指令台（副）２０２に送信する（ステップ３６５、３６６）。
【００３８】
一斉指令台（正）２０１は受令完了を確認すると、一斉指令制御装置２０３に「終了指示信号（ＦＡＸ一斉）」を送信するとともに（ステップ３６７）、アイドル信号を送信し（Ｓ３７８）、一斉指令を終了する。より具体的には、一斉指令制御装置２０３は、「終了指示信号（ＦＡＸ一斉）」を取得すると、「一斉指令ステータス（終了中）」を一斉指令台（正）２０１と一斉指令台（副）２０２に通知するとともに（ステップ３６８、３６９）、一斉受令装置２１０と一斉指令制御装置（２６０Ｍ／音声変換）２０４に「終了指示信号（ＦＡＸ一斉）」を送信する（ステップ３７０、３７１）。
【００３９】
一斉受令装置２１０は、「終了指示信号（ＦＡＸ一斉）」に対する応答として、「一斉指令応答（終了確認）」を送信する（ステップ３７２）。
【００４０】
一斉指令制御装置（２６０Ｍ／音声変換）２０４は、「終了指示信号（ＦＡＸ一斉）」を受信すると、２６０Ｍ移動系システム１０２の統制局制御装置２０５に「一斉終了通知（ＦＡＸ一斉）」を送信する（ステップ３７３）。統制局制御装置２０５は、基地局２０６を介して各移動局２０７に対して「解放ＦＡＸ（一斉）」を送信し（ステップ３７４、３７５）、さらに、一斉指令制御装置（２６０Ｍ／音声変換）２０４に対して「一斉終了応答（ＦＡＸ）」を送信する（ステップ３７６）。一斉指令制御装置（２６０Ｍ／音声変換）２０４は、それを受信すると「一斉指令ステータス（終了中）」を一斉指令制御装置２０３に送信する（ステップ３７７）。
【００４１】
また、一斉指令制御装置２０３は、アイドル信号を受信すると、「一斉指令ステータス（アイドル）」を一斉指令台（正）２０１と一斉指令台（副）２０２に送信し（ステップ３７８、３７９）、さらに一斉指令制御装置（２６０Ｍ／音声変換）２０４と一斉指令系システム受令局１０３の一斉受令装置２１０とにアイドル信号を送信し（ステップ３８１、３８２）、一斉指令系システム受令局１０３からその応答として「一斉指令応答（アイドル）」を、一斉指令制御装置（２６０Ｍ／音声変換）２０４からその応答として「一斉指令ステータス（アイドル）」を受信する（ステップ３８３、３８４）。
【００４２】
図７〜９は、一斉指令（音声）シーケンス（庁内放送設備システム連携）を示すフローチャートであり、ここでは便宜的に３つの図に分割して示している。
【００４３】
一斉指令台（正）２０１は、一斉指令制御装置２０３へ「回線接続起動（音声一斉）」を送信する（ステップ４０１）。一斉指令制御装置２０３は、一斉指令台（正）２０１と一斉指令台（副）２０２に「一斉指令ステータス（回線起動中）」を送信する（ステップ４０２、４０３）。これにより一斉指令台（正）２０１は回線接続起動（音声一斉）の要求が受け付けられたと判断し、一斉指令台（副）２０２は一斉指令台（正）２０１が一斉指令を発令したことを認識する。
【００４４】
一斉指令制御装置２０３は、一斉受令装置２１０および一斉指令制御装置（２６０Ｍ／音声変換）２０４へ「回線接続起動（音声一斉）」を送信する（ステップ４０４、４０５）。一斉受令装置２１０は「回線接続起動（音声一斉）」を受信すると報知器２２３に起動表示、起動音を鳴動させ、「一斉指令応答（接続確認）」を一斉指令制御装置２０３へ送信する（ステップ４０６）。つづいて、一斉指令制御装置２０３は、「一斉指令応答（接続確認）」を一斉指令台（正）２０１と一斉指令台（副）２０２に送信する（ステップ４０７、４０８）
【００４５】
また、一斉指令制御装置（２６０Ｍ／音声変換）２０４は、一斉指令制御装置２０３からの「回線接続起動（音声一斉）」を受信すると、音声分配変換装置２１１へ「通報開始通知（音声一斉）」を送信する（ステップ４０８）。
【００４６】
音声分配変換装置２１１は、庁内放送装置２１２を起動し（ＳＳ信号ＯＮ；ステップ４１０）、「通報開始応答（音声一斉）」を一斉指令制御装置（２６０Ｍ／音声変換）２０４へ送信する（ステップ４１１）。それを受信すると、一斉指令制御装置（２６０Ｍ／音声変換）２０４は、「一斉指令ステータス（回線起動中）」を一斉指令制御装置２０３へ送信する（ステップ４１２）。
【００４７】
音声分配変換装置２１１は、庁内放送装置２１２の起動が完了したことを確認し（ＳＲ信号ＯＮ；ステップ４１３）、接続完了を示す情報を設定した「起動開始通知（音声一斉）」を一斉指令制御装置（２６０Ｍ／音声変換）２０４へ送信する（ステップ４１４）。
【００４８】
一斉指令制御装置２０３は、全ての一斉受令装置２１０から「一斉指令応答（接続確認）」の受信（ステップ４０６）及び、一斉指令制御装置（２６０Ｍ／音声変換）２０４から庁内放送設備システム１０４において接続完了を示す情報を設定した「一斉指令ステータス（回線起動中）」を受信すると（ステップ４１５）、全ての指令対象局の接続が完了したと判断し、接続完了を示す情報を設定した「一斉指令ステータス（回線起動中）」を一斉指令台（正）２０１と一斉指令台（副）２０２に送信する（ステップ４１６、４１７）。
【００４９】
一斉指令台（正）２０１は、接続完了を確認すると、一斉指令制御装置２０３へ「指令中信号（音声一斉）」を送信する（ステップ４１８）。一斉指令制御装置２０３は一斉指令台（正）２０１と一斉指令台（副）２０２に「一斉指令ステータス（一斉指令中）」を送信するとともに（ステップ４１９、４２０）、一斉受令装置２１０と一斉指令制御装置（２６０Ｍ／音声変換）２０４へ「指令中信号（音声一斉）」を送信する（ステップ４２１、４２２）。
【００５０】
一斉指令制御装置（２６０Ｍ／音声変換）２０４は、「一斉指令ステータス（一斉指令中）」を一斉指令制御装置２０３へ送信する（ステップ４２３）。一斉受令装置２１０は、「一斉指令応答（受信確認）」を一斉指令制御装置２０３へ送信する（ステップ４２４）。一斉指令制御装置２０３は、「一斉指令応答（受信確認）」を一斉指令台（正）２０１と一斉指令台（副）２０２に送信する（ステップ４２５、４２６）。
【００５１】
一斉指令台（正）２０１は、マイクから入力した音声を一斉指令の伝送データとして一斉受令装置２１０、一斉指令制御装置（２６０Ｍ／音声変換）２０４へ転送する（ステップ４２７、４２８）。一斉指令制御装置（２６０Ｍ／音声変換）２０４は、音声分配変換装置２１１へ音声を転送し（ステップ４２９）、庁内放送装置２１２を介して庁内放送を行う（ステップ４３０）。
【００５２】
一斉指令台（正）２０１は、指令の送話を完了すると受令確認のために、一斉指令制御装置２０３へ「受令確認信号（音声一斉）」を送信する（ステップ４３１）。一斉指令制御装置２０３は、一斉指令台（正）２０１と一斉指令台（副）２０２に「一斉指令ステータス（受令確認中）」を送信とともに（ステップ４３２、４３３）、一斉受令装置２１０と一斉指令制御装置（２６０Ｍ／音声変換）２０４へ「受令確認信号（音声一斉）」を送信する（ステップ４３４、４３５）。
【００５３】
一斉受令装置２１０は、報知器２２３へ起動表示の終了及び、起動音停止を行い、「一斉指令応答（受令確認）」を一斉指令制御装置２０３へ送信する（ステップ４３６）。一斉指令制御装置２０３は、「一斉指令応答（受令確認）」を一斉指令台（正）２０１と一斉指令台（副）２０２に送信する（ステップ４３７、４３８）。
【００５４】
一斉指令制御装置（２６０Ｍ／音声変換）２０４は、一斉指令制御装置２０３へ「一斉指令ステータス（受令確認中）」を送信し（ステップ４３９）、音声分配変換装置２１１へ「受確指示通知（音声一斉）」を送信する（ステップ４４０）。音声分配変換装置２１１は、その応答として「受信指示応答（音声一斉）」を一斉指令制御装置（２６０Ｍ／音声変換）２０４に送信し（ステップ４４１）、さらに、正常に庁内放送が完了したことを確認したら、「局状態通知（音声一斉）」を一斉指令制御装置（２６０Ｍ／音声変換）２０４へ送信する（ステップ４４２）。
【００５５】
一斉指令制御装置（２６０Ｍ／音声変換）２０４は、「一斉指令応答（受令確認）」を一斉指令制御装置２０３に送信する（ステップ４４３）。さらに、一斉指令制御装置２０３は、「一斉指令応答（受令確認）」を一斉指令台（正）２０１と一斉指令台（副）２０２に送信する（ステップ４４４、４４５）。
【００５６】
一斉指令制御装置２０３は、全ての一斉受令装置２１０、音声分配変換装置２１１からの「一斉指令応答（受令確認）」を受信すると、受令完了を示す情報を設定した「一斉指令ステータス（受令確認中）」を一斉指令台（正）２０１と一斉指令台（副）２０２に送信する（ステップ４４６、４４７）。
【００５７】
一斉指令台（正）２０１は受令完了を確認すると、一斉指令制御装置２０３に「終了指示信号（音声一斉）」を送信するとともに（ステップ４４８）、アイドル信号を送信し（Ｓ４５９）、一斉指令を終了する。より具体的には、一斉指令制御装置２０３は、「終了指示信号（音声一斉）」を取得すると、「一斉指令ステータス（終了中）」を一斉指令台（正）２０１と一斉指令台（副）２０２に通知するとともに（ステップ４４９、４５０）、一斉受令装置２１０と一斉指令制御装置（２６０Ｍ／音声変換）２０４に「終了指示信号（音声一斉）」を送信する（ステップ４５１、４５２）。
【００５８】
一斉受令装置２１０は、「終了指示信号（音声一斉）」に対する応答として、「一斉指令応答（終了確認）」を送信する（ステップ４５３）。一斉指令制御装置（２６０Ｍ／音声変換）２０４は、「終了指示信号（音声一斉）」を受信すると、庁内放送設備システム１０４の音声分配変換装置２１１に「一斉終了通知（ＦＡＸ一斉）」を送信する（ステップ４５４）。
【００５９】
音声分配変換装置２１１は、庁内放送装置２１２を停止し（ＳＳ信号ＯＦＦ；ステップ４５５）、その停止を確認し（ＳＲ信号ＯＦＦ；ステップ４５６）、「通報終了応答（音声一斉）」を一斉指令制御装置（２６０Ｍ／音声変換）２０４に送信する（ステップ４５７）。一斉指令制御装置（２６０Ｍ／音声変換）２０４」は、それを受けて、「一斉指令ステータス（終了中）」を一斉指令制御装置２０３に送信する（ステップ４５８）。
【００６０】
また、一斉指令制御装置２０３は、アイドル信号を受信すると、「一斉指令ステータス（アイドル）」を一斉指令台（正）２０１と一斉指令台（副）２０２に送信し（ステップ４６０、４６１）、さらに一斉指令系システム受令局１０３の一斉受令装置２１０と一斉指令制御装置（２６０Ｍ／音声変換）２０４とにアイドル信号を送信し（ステップ４６２、４６３）、一斉受令装置２１０から「一斉指令応答（アイドル）」を、一斉指令制御装置（２６０Ｍ／音声変換）２０４から「一斉指令ステータス（アイドル）」を受信する（ステップ４６４、４６５）。
【００６１】
以上、本実施形態によると、（１）一斉指令を行う際、２６０Ｍ移動系システム１０２及び各拠点に配置される一斉指令系システム受令局１０３に同時に一斉指令を行う事が可能となる。（２）２６０Ｍ移動系システム１０２が更新された場合に、指令方法、受令結果収集方法を改善することが予想されるが、一斉指令制御装置（２６０Ｍ／音声変換）２０４の機能更新により実現することが可能となり、一斉指令系システム１０５に与える影響を限定できる。（３）一斉指令制御装置（２６０Ｍ／音声変換）２０４の機能更新により、一斉指令系システム１０５に２６０Ｍ移動系システム１０２以外の他外部装置（ここでは庁内放送設備システム１０４）を連携させることが可能となる。
【００６２】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。
【符号の説明】
【００６３】
１００  無線通信システム
１０１  一斉指令系システム統制局
１０２  ２６０Ｍ移動系システム
１０３  一斉指令系システム受令局
１０４  庁内放送設備システム
１０５  一斉指令系システム
２０１  一斉指令台（正）
２０２  一斉指令台（副）
２０３  一斉指令制御装置
２０４  一斉指令制御装置（２６０Ｍ／音声変換）
２０５  統制局制御装置
２０６  基地局
２０７  移動局
２０８  統制台
２０９  運用管理装置
２１０  一斉受令装置
２１１  音声分配変換装置
２１２  庁内放送装置
２２１  防災ＦＡＸ
２２３  報知器
【図１】
2019176223.tif 000003
【図２】
2019176223.tif 000004
【図３】
2019176223.tif 000005
【図４】
2019176223.tif 000006
【図５】
2019176223.tif 000007
【図６】
2019176223.tif 000008
【図７】
2019176223.tif 000009
【図８】
2019176223.tif 000010
【図９】
2019176223.tif 000011